(57)【要約】【課題】従来の工法は、縦鉄筋を基礎部分から立ち上げた時点で、４〜５人により所定の間隔で横鉄筋を１本毎、結束固定する方法などが主流であり、多くの労働力を必要とし作業効率も悪いものであった。しかも従来の工法は縦鉄筋と横鉄筋との結束固定に際し、縦鉄筋に横鉄筋の取り付け位置を示すマーキングの設置が必要とする他、鉄筋固定までの工程中に横鉄筋を支持固定する作業員を必要としていた。また、横鉄筋の自重により下方に弛む現象が避けられず、縦鉄筋と横鉄筋との間隔が不均一になる欠点があった。【解決手段】本発明の横鉄筋の仮止め用置き金具により上記欠点を除去し、擁壁工事など比較的太くて長く重量のある鉄筋を使用する鉄筋工事現場における作業員の労力負担が軽減され、作業人員の削減と作業時間が短縮され、しかも安全な横鉄筋の取付けが容易になり、縦鉄筋と横鉄筋の間隔を確実に確保し品質を向上することができ、鉄筋コンクリート構造物における良質な品質を提供出来る、横鉄筋の仮止め用置き金具を提供するものである。【選択図】図１
2004332505.tif 000002
【特許請求の範囲】
【請求項１】
鉄筋を擁壁工事現場にて組立固定する際、横鉄筋の間隔を示すピッチマーキングを不用とする仮止め用置き金具を特徴とする。
【請求項２】
また、擁壁工事における横鉄筋の吊り金具として使用することにより、横鉄筋の丘組みが可能となり、クレーン等により多数の横鉄筋を取り付け可能とすることを特徴とする。
【請求項３】
擁壁工事における横鉄筋の固定に際し、少人数により作業のスピード化が実現でき、縦鉄筋と横鉄筋との結束が安全で確実な組上げができ、組み立てた鉄筋の品質向上に寄与することを特徴とする。
【発明の詳細な説明】
【０００１】
擁壁工事など比較的太くて長く重量のある鉄筋を使用する鉄筋工事において、基礎部分から立ち上がる縦鉄筋とその縦鉄筋に直角に配する横鉄筋は鉄筋コンクリート構造物における重要な基礎構造部分に相当するが、特に横鉄筋の擁壁工事現場における取り付けおよび結束には多くの労働力を必要とし、多くの時間を費やす工程であるが、そこで様々な規模の擁壁鉄筋工事において対応できる横鉄筋の仮止め用置き金具の設計を提供する。
【発明の属する技術分野】
【０００２】
本発明は擁壁工事など比較的太くて長く重量のある鉄筋を使用する鉄筋工事において縦鉄筋と横鉄筋の結束および固定を一定の幅で維持、固定する横鉄筋の仮止め用置き金具に関するものである。
【従来の技術】
【０００３】
従来の工法は、縦鉄筋を基礎部分から立ち上げた時点で、４〜５人により所定の間隔で横鉄筋を１本毎、結束固定する方法などが主流であり、多くの労働力を必要とし作業効率も悪いものであった。しかも従来の工法は縦鉄筋と横鉄筋との結束固定に際し、縦鉄筋に横鉄筋の取り付け位置を示すマーキングの設置が必要とする他、鉄筋固定までの工程中に横鉄筋を支持固定する作業員を必要としていた。また、横鉄筋の自重により下方に弛む現象が避けられず、縦鉄筋と横鉄筋との間隔が不均一になる欠点があった。
【発明が解決しようとする課題】
【０００４】
しかし、本発明の横鉄筋の仮止め用置き金具により上記欠点を除去し、擁壁工事など比較的太くて長く重量のある鉄筋を使用する鉄筋工事現場における作業員の労力負担が軽減され、作業人員の削減と作業時間が短縮され、しかも安全な横鉄筋の取り付けが容易になり、縦鉄筋と横鉄筋の間隔を確実に確保し品質を向上することができ、鉄筋コンクリート構造物における良質な品質を提供出来る、横鉄筋の仮止め用置き金具を提供するものである。
【問題を解決するための手段】
【０００５】
擁壁工事など比較的太くて長く重量のある鉄筋を使用する鉄筋工事において、縦鉄筋と横鉄筋の結束および固定を一定の幅で維持、固定することが鉄筋コンクリート構造物の基礎構造材として鉄筋が組上げられているが、鉄筋の組上げは重要な要素であり、本発明の請求項１記載の横鉄筋の仮止め用置き金具は、１本の主鉄柱に対しＪ型アームを等間隔で固定し、主鉄柱を基点にＪ型アームが装着するもので、Ｊ型アームの支持する間隔を調整し横鉄筋を縦鉄筋に対し等間隔で設置できる機能を持つもので、簡便な支持具により鉄筋の自重による歪みを解消し確実な結束固定を可能とすることができ、縦鉄筋と横鉄筋の間隔を確実に維持できることを特徴とする横鉄筋の仮止め用置き金具である。
【０００６】
また請求項２記載は、横鉄筋を丘組みし縦鉄筋に対し多数の横鉄筋を結束固定することが特徴であり、本発明横鉄筋の仮止め用置き金具は大きな面積をもつ擁壁鉄筋工事など、鉄筋重量が長大な場合に丘組みされた横鉄筋群をクレーン等により取り付けることを可能とするとともに、工期の短縮および作業員の労力の軽減および削減を可能とすることを特徴とする横鉄筋の仮止め用置き金具である。
【０００７】
また、本発明の請求項３記載のように鉄筋コンクリート構造物の主たる基礎材料として縦横鉄筋の組上げは、均一な鉄筋コンクリート形成を獲得する上で重要な要素であり、基礎材料である縦横鉄筋の組上げ等の品質確保を特徴とする横鉄筋の仮止め用置き金具である。
【０００８】
【発明の実施の形態】
以下本発明の実施の一形態を図１、図２、図３、図４、図５、図６を参照して詳細に説明する。図１は本発明の横鉄筋の仮止め用置き金具の立面図および側面図であり、（１）は立面図、（２）はＡ側面図、Ｂ側面図、であり横鉄筋の仮止め用置き金具の構造を示すものである。
【０００９】
図２において横鉄筋の仮止め用置き金具ａで支持した状態であるが、Ｘは横鉄筋のＹは縦鉄筋を示し、本発明横鉄筋の仮止め用置き金具ａが装着した状態を示す図である。
【００１０】
図２は、本発明横鉄筋の仮止め用置き金具ａの底支持部１２が基礎底部に装着支持し、上側横鉄筋をＪ型アーム１１によりそれぞれ横鉄筋を乗せるのみで等間隔を維持することが獲得できた図である。
【００１１】
図３は擁壁工事における配筋図であり、縦横鉄筋を組立たてた状態を示すが、擁壁工事に使用される鉄筋は比較的太くて長く重量のある鉄筋を使用するため、縦鉄筋Ｙが基礎部から立ち上げてから横鉄筋Ｘを固定する作業が基礎施工鉄筋敷設工事における重要な要素になる。
【００１２】
従って図４に示すように従来の擁壁工事における基礎工事を構築する場合、縦鉄筋Ｙに横鉄筋Ｘを結束固定する際に、縦鉄筋Ｙの両端に横鉄筋Ｘ配置するための位置点としてマーキングをする必要があり、また、その作業員の人員は当然ながら両端の支持をする者２０、縦鉄筋と横鉄筋を結束する者２１と人員を必要としていた。
【００１３】
しかし、本発明横鉄筋の仮止め用置き金具ａ使用により可能となった、丘組みを行いクレーンにて取り付けする状態を図５で示すものであり、図６は横鉄筋Ｘを本発明横鉄筋の仮止め用置き金具ａを用いて１本毎結束する際の手法を解説する図であり、１人の作業員により鉄筋の組上げを可能とするものである。
【００１４】
【発明の効果】
以上説明した如く、本発明により、擁壁工事など比較的太くて長く重量のある鉄筋を使用する鉄筋工事において、縦鉄筋と横鉄筋の結束および固定を一定の幅で維持、固定することが鉄筋コンクリート構造物の基礎構造材として鉄筋が組上げられているかが重要な要素であり、確実な鉄筋組上げを提供できる本発明横鉄筋の仮止め用置き金具ａを提供するものである。
【図面の簡単な説明】
【図１】本発明横鉄筋の仮止め用置き金具の立面図、左右側面図
【図２】本発明横鉄筋の仮止め用置き金具を使用した状態の正面図、
【図３】擁壁工事にける配筋図
【図４】従来の擁壁工事における鉄筋結束固定の作業概念図
【図５】本発明横鉄筋の仮止め用置き金具を使用した丘組みによる作業概念図
【図６】本発明横鉄筋の仮止め用置き金具を使用した１人作業概念図
【符号の説明】
１０・・・本発明横鉄筋の仮止め用置き金具における直棒主なる柱部分
１１・・・本発明横鉄筋の仮止め用置き金具におけうＪ型アーム支持部分
１２・・・本発明横鉄筋の仮止め用置き金具における下部基礎装着支持部分
２０・・・擁壁工事における従来の鉄筋支持作業員
２１・・・擁壁工事における従来の鉄筋結束作業員
ａ  ・・・本発明横鉄筋の仮止め用置き金具本体
Ｘ  ・・・擁壁工事における横鉄筋
Ｙ  ・・・擁壁工事における縦鉄筋
【図１】
2004332505.tif 000003
【図２】
2004332505.tif 000004
【図３】
2004332505.tif 000005
【図４】
2004332505.tif 000006
【図５】
2004332505.tif 000007
【図６】
2004332505.tif 000008